【事件の表示】
　特願２００２−３００５８５「ホストシステムに接続された機器のためのユーザインターフェイス方法及び装置」拒絶査定不服審判事件〔平成１５年　７月２５日出願公開、特開２００３−２０８３０２〕について、次のとおり審決する。
【結　論】
　本件審判の請求は、成り立たない。
【理　由】
１．手続の経緯
　本願は，平成１４年１０月１５日（パリ条約による優先権主張２００１年１０月１２日，韓国）の出願であって，平成１７年１０月１７日付けの拒絶の理由の通知に対して，平成１８年４月２５日付けで意見書が提出されるとともに，同日付けで手続補正がなされたが，平成１９年４月９日付けで拒絶をすべき旨の査定がされ，これに対し同年７月１７日に拒絶査定不服審判の請求がなされるとともに，同年８月１６日付けで手続補正がなされたものである。
　
２．平成１９年８月１６日付けの手続補正についての却下の決定
［結論］
　平成１９年８月１６日付けの手続補正を却下する。
［理由］
（１）補正後の本願発明
　平成１９年８月１６日付けの手続補正（以下「本件補正」という。）により，平成１８年４月２５日付けの手続補正書の特許請求の範囲の請求項（以下「補正前の請求項」という。）２は，平成１９年８月１６日付けの手続補正書の特許請求の範囲の請求項（以下「補正後の請求項」という。）１に補正された。
　補正前の請求項１及び請求項２並びに補正後の請求項１は，以下のとおりである。
　
補正前の請求項１
「ホストシステムに接続されたビデオディスプレイ機器のためのユーザインターフェイス方法において、
　前記ホストシステムが前記ビデオディスプレイ機器に備えられたリモートコントローラのボタン構造に対応するボタン構造を有する仮想リモートコントローラを表示するステップと、
　前記表示された仮想リモートコントローラのボタンが入力されると、その入力されたボタンに対応する制御命令を前記ビデオディスプレイ機器に出力するステップ、及び　前記ビデオディスプレイ機器が前記制御命令を受け、前記入力されたボタンに応じる内部命令を検出し実行するステップと、
　を備えることを特徴とするホストシステムに接続された機器のためのユーザインターフェイス方法。」
　
補正前の請求項２
「更に、前記内部命令の実行が完了すると、前記ビデオディスプレイ機器が前記内部命令の実行結果を前記ホストシステムにフィードバックするステップを備えることを特徴とする請求項１に記載のホストシステムに接続された機器のためのユーザインターフェイス方法。」
　
補正後の請求項１
「ホストシステムに接続されたビデオディスプレイ機器のためのユーザインターフェイス方法において、
　前記ホストシステムが前記ビデオディスプレイ機器に備えられたリモートコントローラのボタン構造に対応するボタン構造を有する仮想リモートコントローラを表示するステップと、
　前記表示された仮想リモートコントローラのボタンが入力されると、その入力されたボタンに対応する制御命令を前記ビデオディスプレイ機器に出力するステップ、及び　前記ビデオディスプレイ機器が前記制御命令を受け、前記入力されたボタンに応じる内部命令を検出し実行するステップと、
　前記内部命令の実行が完了すると、前記ビデオディスプレイ機器が前記内部命令の実行結果を前記ホストシステムにフィードバックするステップと、
　前記ホストシステムが前記フィードバックされた内部命令の実行結果を表示するステップと、
　を備えることを特徴とするホストシステムに接続された機器のためのユーザインターフェイス方法。」
　
　補正前の請求項２に記載した発明を特定するために必要な事項である「前記内部命令の実行が完了すると、前記ビデオディスプレイ機器が前記内部命令の実行結果を前記ホストシステムにフィードバックするステップ」について「前記ホストシステムが前記フィードバックされた内部命令の実行結果を表示するステップ」との限定を付加する補正は，特許法第１７条の２第４項第２号に規定する特許請求の範囲の減縮を目的とするものに該当する。
　
　そこで，補正後の請求項１に記載された発明（以下「本願補正発明」という。）が特許出願の際独立して特許を受けることができるものであるか（特許法第１７条の２第５項において準用する同法第１２６条第５項の規定に適合するか）について以下に検討する。
　
（２）引用例の記載
　原査定の拒絶の理由に引用された特開平５−１２２４２４号公報（平成５年５月１８日出願公開。以下「引用例」という。）には，図面とともに次の事項が記載されている。
　
Ａ．「【０００１】
【産業上の利用分野】本発明は、例えば複写機やファクシミリのような事務機器の遠隔監視装置及び遠隔制御装置に関する。」（第２ページ第２欄第３４行目〜同欄第３７行目）
　
Ｂ．「【００１１】従来の遠隔制御システムにおいては、複写機の操作パネルからの操作と同一の操作を遠隔制御ユニット（コンピュ−タなど）からの指示で行なうことができるが、遠隔制御ユニットにおける各種表示及び各入力ボタンの位置など、つまりユ−ザインタ−フェ−スは、複写機の操作パネル上のものとは全く異なるのが実情であり、オペレ−タは遠隔制御ユニットと複写機の操作パネルの両方における操作方法を憶える必要があり、操作性が良くない。またそのシステムを製造するメ−カにおいては、複写機と遠隔制御ユニットの両方において独立したユ−ザインタ−フェ−スを設計しなければならず、しかも一方で仕様変更が生じるとそれに伴なって他方の設計も変更を要求される、という不都合がある。しかしながら、遠隔制御ユニットにおいて複写機の操作パネルと同等のユ−ザインタ−フェ−スを提供するためには、非常に複雑な表示処理が必要であり、特に機種の異なる多数の複写機を遠隔制御するためには、複写機の機種毎に独立した表示プログラムが必要になるので、開発コスト及び製造コストが上昇する。
【００１２】従って本発明は、遠隔制御ユニットにおけるユ−ザインタ−フェ−スを複写機の操作パネルのものに近づけて操作性を向上するとともに、開発コスト及び製造コストの上昇を抑えることを第４の課題とする。」（第３ページ第４欄第３３行目〜第４ページ第５欄第５行目）
　
Ｃ．「【００１９】更に第４の課題を解決するために、第４番の発明においては、表示部と入力部を有する事務機器，表示部と入力部を有する遠隔制御ユニット，及び少なくとも１台の前記事務機器と前記遠隔制御ユニットとを接続する情報伝送路、を備える事務機器の遠隔制御装置において、前記事務機器に、該事務機器の状態及び入力手段の位置を示す表示情報を二次元画像情報として保持する第１のイメ−ジ記憶手段，該第１のイメ−ジ記憶手段が記憶する二次元画像情報を表示する第１のビットマップ表示手段，及び該ビットマップ表示手段の表示上の所定位置を指示する入力及び前記情報伝送路から入力される遠隔制御コマンドに応答して事務機器の動作モ−ドを変更するとともに、所定の指示に応答して前記第１のイメ−ジ記憶手段に保持された二次元画像情報を前記情報伝送路に出力する第１の制御手段を備え、前記遠隔制御ユニットに、前記情報伝送路に現われる二次元画像情報を入力して記憶する第２のイメ−ジ記憶手段，該第２のイメ−ジ記憶手段が記憶する二次元画像情報を表示する第２のビットマップ表示手段，及び該第２のビットマップ表示手段の表示上の位置を指示する入力に応答して、所定の遠隔制御コマンドを前記情報伝送路に出力する第２の制御手段を備える。」（第４ページ第６欄第２４行目〜同欄第４５行目）
　
Ｄ．「【００２５】第４番の発明によれば、前記第１番の発明と同様にして、事務機器上の表示と同一の情報を遠隔制御ユニット上に表示することができる。しかも、事務機器は遠隔制御ユニットから出力される遠隔制御コマンドに応答して動作モ−ドを変更するので、遠隔制御ユニットを操作する人は、事務機器から離れた位置で、事務機器上の操作部と同一の表示を見ながら離れた位置の事務機器を遠隔操作することができる。」（第５ページ第８欄第２６行目〜同欄第３３行目）
　
Ｅ．「【００２８】
【実施例】本発明を実施するシステムの一例を図１に示す。図１を参照するとこのシステムには監視機能を搭載したコンピュ−タＰＣと複写機が備わっている。コンピュ−タＰＣと複写機は、ロ−カルエリアネットワ−クＬＡＮにより互いに接続されている。図１には複写機を１台のみ示したが、ネットワ−クＬＡＮには多数台の複写機を接続することができる。図１に示した複写機は、デジタルカラ−複写機であり、カラ−イメ−ジスキャナ１００，カラ−プリンタ２００，コンソ−ル７００，自動原稿搬送装置ＡＤＦ等で構成されている。コンピュ−タＰＣはラップトップ型であり、液晶表示器でなる平面型のビットマップ表示器６６，フルキ−ボ−ド６９，磁気ディスク６７，マウス７０等々を備えている。」（第６ページ第９欄第７行目〜同欄第２０行目）
　
Ｆ．「【００３６】コンソ−ル７００は、複写機の状態などをオペレ−タに対して表示する表示部と、複写モ−ド指定などのオペレ−タからの入力を受付ける入力部を備えている。具体的には、表示部は５１２×２５６ドット構成のビットマップ表示が可能な液晶表示器で構成されており、入力部は表示部に重ねて配置された透明タッチシ−トで構成されている。透明タッチシ−トは、感圧スイッチを１２８×６４の各領域に等間隔で配列したものであり、１２８×６４の分解能で入力（押圧）のあった座標を検出することができる。コンソ−ル７００の縦断面の構成を図６に示すので参照されたい。
【００３７】コンソ−ル７００の電気回路の詳細を図３に示す。図３を参照すると、コンソ−ル７００はコンソ−ルボ−ド７５０とその制御回路で構成されている。コンソ−ルボ−ド７５０には、５１２×２５６ドット構成の液晶表示器７５１，ＬＥＤ表示器７５２及びキ−スイッチマトリクス７５３が設けられている。キ−スイッチマトリクス７５３には、前記透明タッチシ−トが含まれている。制御装置には、マイクロプロセサ７５４，ＲＡＭ７５９，ＲＯＭ７６０，割込みコントロ−ラ７６１，シリアルＩ／Ｏ７６２，インタフェ−ス７６３，ＬＣＤコントロ−ラ７５７，ビデオＲＡＭ７５８，Ｉ／Ｏ＋デコ−ダ・ドライバ７５６，ドライバ７６３及びバッテリ−７６４が設けられている。
【００３８】ＲＯＭ７６０は、表示制御プログラム，通信制御プログラム，ポインタの情報各種表示要素の情報などの予め定められた固定デ−タを保持している。ＲＡＭ７５９は、プログラム実行時のワ−クエリア、及び液晶表示器７５１に表示される二次元表示画像に相当する二次元画像情報をビットマップ情報として保持する表示情報エリアを備えている。二次元画像情報は５１２×２５６画素構成で各画素の値は０又は１の二値なので、約１６Ｋバイトが表示情報エリアのために割り当てられている。液晶表示器７５１に二次元表示画像を表示する場合、まずＲＡＭ７５９上の表示情報エリアに表示画像をビットマップ形式で作成し、作成した画像デ−タをビデオＲＡＭ７５８に転送する。これによってＬＣＤコントロ−ラ７５７がビデオＲＡＭ７５８上の画像情報を液晶表示器７５１に表示する。
【００３９】ＣＰＵ７５４が表示画像を作成及び更新する場合には、表示要素毎にＲＯＭ７６０上に予め登録された当該表示要素のビットマップ情報，ベクトル情報，文字情報等を読み出して、各々の要素のパタ−ン情報を画像情報としてＲＡＭ７５９上の前記表示情報エリアに書込む。例えば図１８に示すように「呼出」ボタン及び「カラ−選択」ボタンを画面上に表示する場合には、ＲＯＭ７６０上の表示要素領域で「呼出」ボタンに割当てられたアドレスからその表示情報を読み出し、それを直接、又はビットパタ−ンに展開して（文字コ−ドやベクトル情報の場合）ＲＡＭ７５９上の表示情報エリアの表示すべき座標に対応するアドレスに書込み、続いて「カラ−選択」ボタンについても同様にＲＯＭ７６０から読み出した表示情報に基づいて、そのビットパタ−ンをＲＡＭ７５９上の表示情報エリアに書込む。なお表示頻度の高くない特殊な表示画像については、画面単位でその画像情報が磁気ディスク６００上に予め登録されているので、磁気ディスク６００から登録された画面の情報を読み出してそれを直接ＲＡＭ７５９に書込むようにしている。
【００４０】ＲＡＭ７５９上の表示情報エリアの情報をデュアルポ−トメモリで構成されるビデオＲＡＭ７５８に転送すると、ＬＣＤコントロ−ラ７５７がビデオＲＡＭ７５８上の画像情報をサイクリックにドライバ７６３に出力する。これにより、例えば図５に示すような表示画面が、液晶表示器７５１上に二次元画面として表示される。透明タッチシ−トにより表示した各ボタン（キ−）の位置で押下が検出されると、それに応じて複写モ−ドや表示内容が変わる。表示内容を変更する時には、新しい表示要素の画像情報をＲＡＭ７５９上に書込み、その情報をビデオＲＡＭ７５８に転送する。なお、表示頻度が低くしかも固定的な表示内容の画面、例えば給紙コロが壊れてその部品を交換するためにサ−ビスマンによる修理を促すための画面については、その二次元表示情報が予め磁気ディスク６００上に登録されているので、その１画面全体の情報を磁気ディスク６００から読み出して直接ＲＡＭ７５９に書込み、ＲＡＭ７５９上の情報をビデオＲＡＭ７５８に転送する。
【００４１】コンピュ−タＰＣの電装部の構成を図４に示す。図４を参照するとこのコンピュ−タＰＣには、マイクロプロセサ（ＣＰＵ）５１，ＲＯＭ５２，ＲＡＭ５３，割り込みコントロ−ラ５４，ＤＭＡコントロ−ラ５５，タイマ５６，リアルタイムクロック５７，漢字ＲＯＭ５８，ディスプレイコントロ−ラ５９，ディスクコントロ−ラ６０，プリンタコントロ−ラ６１，キ−ボ−ドコントロ−ラ６２，ＲＳ−２３２Ｃコントロ−ラ６３，ＬＡＮコントロ−ラ６４，ビデオＲＡＭ６５，ＬＣＤユニット６６，３．５インチＦＤＤ６７，２００Ｍバイトハ−ドディスク６８，キ−ボ−ド６９及びマウス７０が備わっている。マイクロプロセサ５１は３２ビット構成であり、ＬＣＤユニット６６は１２８０×１０２４画素構成の二次元表示器である。コンピュ−タＰＣのソフトウェアには、複写機側と同様にＬＡＮ対応のオペレ−ティングシステム（ＯＳ）が備わっている。ＬＡＮコントロ−ラ６４には、ネットワ−クＬＡＮの同軸ケ−ブルと接続できる端子が設けられている。
【００４２】監視装置であるコンピュ−タＰＣと複写機及び複写機内部のコンソ−ルとの間に通信の一例を図１５に示す。図１５を参照して説明する。監視装置において例えばマウスを操作して、複写機の表示情報を要求する指示を発すると、監視装置から複写機に対して「二次元画面情報要求」を示すコマンドＣ１１が出力される。このコマンドは、複写機のシステムコントロ−ラの通信プログラムによって受信される。そしてコマンドＣ１１を受信した時には、それに相当する内部コマンドＣ２１をコンソ−ルに送信する。コンソ−ルではこのコマンドに応答して、ＲＡＭ７５９上の表示情報エリアの画像情報（例えば図５の内容全体）を内部レスポンスＲ２１としてシステムコントロ−ラに返す。システムコントロ−ラは内部レスポンスである表示画像情報を内部のバッファに一時的に蓄えた後、通信プログラムを起動してその情報をレスポンスＲ１１として監視装置に送信する。監視装置はレスポンスＲ１１を受信すると、その情報を内部のＲＡＭ５３に格納し、表示プログラムを起動して受信した画像をＬＣＤに表示する。レスポンスＲ１１の内容はビットマップ情報であるので、表示プログラムが単純に所定の表示メモリのアドレスにデ−タを転送するだけの簡単な処理を実行だけで、複写機のコンソ−ルと同一の画面を監視装置上に表示することができる。
【００４３】１画面のデ−タ量は１３１０７２ビットであり、この例ではネットワ−クＬＡＮの伝送速度が１０Ｍビット／秒になっているので、パケットのオ−バ−ヘッドを勘案しても、約０．１５秒で１画面の情報を複写機から監視装置に伝送することができる。但しネットワ−クＬＡＮのトラフィックが密な時にはコリジョンが発生して転送所要時間は０．１５秒より長くなる。転送所要時間を短くしたいような場合には、例えば１画面中の変化した部分のデ−タだけ差分デ−タとして複写機から監視装置に送るようにすればよい。
【００４４】例えば、図５に示す複写モ−ド設定画面において、コピ−スタ−トボタンを押下した時に現われるコピ−ラン画面は、スタ−トボタン表示が白黒反転する以外は前の複写モ−ド設定画面と同一であるので、このような時には、スタ−トボタンの領域の情報のみをその位置情報とともに監視装置に転送するだけで、監視装置ではコンソ−ルと同一の表示画面を再現でき、伝送するデ−タ量が減少し、デ−タ伝送の所要時間が短縮される。図１５においては、スタ−トボタン表示の変化を表示制御プログラムが検出し、それに応答してスタ−トボタンの領域の表示画像情報及びその位置情報を内部レスポンスＲ２２としてシステムコントロ−ラに出力する。システムコントロ−ラは内部レスポンスＲ２２に応答して、その情報を通信プログラムを介してレスポンスＲ１２として監視装置に送信する。監視装置は、レスポンスＲ１２を受信すると、それに含まれる位置情報で定まる表示アドレスの領域に受信した表示画像情報を書込む。同様に、コピ−ランが開始された後は、通常はコピ−の完了枚数のみが変化するので、その情報のみを複写機から監視装置に転送すればよい。
【００４５】上記のように画面の一部分の領域の画像情報のみを転送できるように、この例では画像情報を転送する時に、画面の横方向の転送開始座標ｘ，画面の縦方向の転送開始座標ｙ，画面の横方向の転送領域の長さＬｘ，及び画面の縦方向の転送領域の長さＬｙにその領域の画像デ−タを付加した情報ブロックを転送する。画面全体を転送する時でも、ｘ＝０，ｙ＝０，Ｌｘ＝５１１，Ｌｙ＝２５５とすれば同一の形式で情報ブロックを転送することができる。
【００４６】なお、コンソ−ルのＲＯＭ７６０上の表示要素のビットイメ−ジ情報にも、各要素の横方向転送開始座標ｘ，縦方向転送開始座標ｙ，横方向の転送領域長さＬｘ及び縦方向の転送領域長さＬｙを含めてあり、要素毎の情報をＲＯＭ７６０からも直接監視装置に転送可能に構成してある。
【００４７】監視装置であるコンピュ−タＰＣのＬＣＤユニット６６に表示される画面の一例を図７に示す。この実施例ではコンピュ−タＰＣのオペレ−ティングシステムにマルチプロセスＯＳを採用しているので、複数のプロセスを同時に実行することができる。図７を参照すると、この例では３つのウインドゥが現われており、１番目のウインドゥＷ１には実行中の第１のプロセス（カレンダ−プログラム）の表示部が表示され、第２のウインドゥＷ２には実行中の第２のプロセス（ワ−プロプログラム）の表示部が表示され、第３のウインドゥＷ３には実行中の第３のプロセス（複写機監視プログラム）表示部が表示されている。
【００４８】複写機監視プログラムは、ネットワ−クＬＡＮに接続された複写機との間で図１５に示すように情報を交換し、各複写機の表示部の状態をウインドゥＷ３内に表示して離れた位置で複写機の状態を監視可能にするプログラムである。このウインドゥでは、ネットワ−クＬＡＮに接続された多数の複写機の１台を選択可能になっている。選択のための複写機ＩＤやノ−ドアドレスの設定情報は、管理ファイル群の中のＣｏｐｉｅｒ  Ｍファイルに登録されている。図８に示すように、管理ファイル群のアイコンが表示された画面において、Ｃｏｐｉｅｒ  Ｍファイルのアイコン９２をマウスで指定すれば、そのファイルを開きそこに登録された情報の内容、つまり監視する複写機のＩＤやノ−ドアドレスを変更することができる。
【００４９】この例では、複写機の液晶表示器７５１に表示される画像と同一のビットパタ−ンをＲＡＭ７５９からそのまま監視装置に転送して監視装置のウィンドゥＷ３に表示しているので、図７のウインドゥＷ３の内部に表示された画像の構成は複写機のコンソ−ル上の表示画面（図５参照）と相似であり、画面中の各種アイコンやキャラクタなどの表示要素についてもそのパタ−ンは監視装置上と複写機上で同一になっている。
【００５０】このように、複写機上のコンソ−ルの表示画面の変化は、直ちに監視装置に画面Ｗ３にも反映され、複写機から離れた位置の監視装置においてリアルタイムで複写機の状態を監視できる。従ってこの監視装置を利用すれば、例えば一般の複写機ユ−ザが空いている複写機を捜したり、複写作業の進行具合いを監視するのに都合が良い。また複写機の用紙やトナ−などの在庫管理や保守管理をする管理者にとっては、不足するサプライや故障個所が明確に判り、効率的な管理ができるようになる。」（第７ページ第１１欄第１８行目〜第９ページ第１５欄第２４行目）
　
Ｇ．「【００５７】次にもう１つの実施例を説明する。この実施例では、ネットワ−クに接続されたコンピュ−タＰＣに、監視装置としての機能だけでなく、複写機を遠隔操作するための入力機能をも備えている。つまりコンピュ−タＰＣからの入力によって、複写機のコンソ−ルにおけるボタン操作と同一の機能を実行することができる。システムのハ−ドウェア及び監視機能については、上記実施例とほぼ同一である。上記実施例に対して変更された部分及び説明の不足している部分について以下に説明する。
【００５８】この実施例では、複写機と遠隔制御ユニットであるコンピュ−タＰＣの各々にブザ−（図２の８５０，図４の７１）が備わっている。これらのブザ−は入力エラ−があった時、又は複写機にジャムなどの異常が発生した時に鳴動する。
【００５９】図５に示す複写機のコンソ−ル上の表示を参照すると、この画面にはスタ−トボタン７５１ａ，紙サイズ選択ボタン群７５１ｊ，ディザパタ−ン選択ボタン群７５１ｋ，出力濃度選択ボタン群７５１ｉ，テンキ−＆クリアキ−７５１ｂ，コピ−枚数設定表示７５１ｃ，コピ−完了枚数表示７５１ｄ，カラ−選択画面オ−プンボタン７５１ｆ，変倍選択画面オ−プンボタン７５１ｅなどが表示されている。コンソ−ルの液晶表示器７５１上の表示画面はツリ−状の階層構造になっており、図５に示す複写モ−ド設定画面は最上位層画面の１つである。カラ−選択画面オ−プンボタン７５１ｆ又は変倍選択画面オ−プンボタン７５１ｅの表示部分を押下すれば、それに対応する下位層の画面がオ−プンされ、カラ−選択や倍率選択が可能になる。呼出ボタン７５１ｈは、例えば原画読取モ−ドやプリントアウトモ−ドのような特殊なモ−ドのプログラムを呼出すのに利用される。これらの特殊なモ−ドが呼び出されると、それぞれのモ−ドの最上位画面に移行するが表示内容は複写モ−ド画面と大きな違いはない。またこれらのモ−ド画面がオ−プンされると、システムコントロ−ラにその情報が伝えられ、システムコントロ−ラはこれらのモ−ドに必要なプログラムをディスク６００からメインメモリ上にロ−ドして当該モ−ドの実行に備える。
【００６０】液晶表示器７５１の表示面上には、透明タッチシ−トが重なっているので、それによって表示画面上の押下されたボタンの位置が検出される。表示画面上のボタンの存在しない位置を押下したり、予め定められた範囲外の数値を入力した場合には、その入力を無効、即ちエラ−とみなし、ブザ−８５０を付勢する。ブザ−８５０を付勢する時には、その情報をネットワ−クＬＡＮに接続されたコンピュ−タＰＣに送信する。
【００６１】この実施例では、コンピュ−タＰＣは複写機の表示情報を表示するだけでなく、それ自身からの入力によって複写機のボタン操作と同一の遠隔操作を複写機に対して行なうことができる。コンピュ−タＰＣにおける入力操作は、この例では、ＬＣＤユニット６６に表示されたボタンをマウス７０により指示してクリックすることによって実施される。またテンキ−などの数値入力に関しては、マウス以外にキ−ボ−ド６９からの入力も可能になっている。図７に示す画面がＬＣＤユニット６６に表示されている時に、例えばスタ−トボタン７５１ａａをマウスで指示してダブルクリックすると、クリックした位置の座標が「ｘｙクリック」というデ−タ形式で複写機に送信される。つまり図１６において、コンピュ−タＰＣからコマンドＣ１２が複写機に送られる。
【００６２】複写機のシステムコントロ−ラは、コマンドＣ１２を受信すると、それをコンソ−ル７００に送る。コンソ−ルのマイクロプロセサ７５４は、コマンドＣ１２の受信に応答してその内容を解釈し、この場合にはスタ−トボタン７５１ａが押された場合と同一の結果を出力する。つまりコマンドＣ１２が受信されると、スタ−トボタン７５１ａが押された場合と同様に、一連の複写動作シ−ケンスを開始する。
【００６３】この方式では、従来より良く利用される方式、例えばコマンドの内容に応じてコ−ドを割り付けてそれを送る方式や、クリアテキストで送る方式に比べ、処理を圧倒的に単純化できる利点がある。つまり一般の方式では、コンピュ−タＰＣ側にどのボタンが押されたのかを判定するプログラムやボタンの種類に対応するコ−ドを生成するコ−ド変換プログラムが必要であり、複写機においては受信したコ−ドを入力ボタンの各々に対応付ける識別プログラムが必要になる。また、様々な種類のコ−ドを転送する必要が生じるので、通信のプロトコルが複雑になるのは避けられず、複写機の機能が変更又は拡張された場合には、通信のプロトコルや各々のプログラムを全て修正しなければならない。しかしこの実施例では、単に入力があった位置のｘ，ｙ座標値をコンピュ−タＰＣから複写機に送るので、上記プログラムは不要であり、通信プロトコルも単純になる。複写機の機能が変更又は拡張された場合でも、コンピュ−タＰＣ側のプログラムや通信プロトコルには何ら修正を加えることなく新しい複写機に対応することができる。また、機種の異なる複数の複写機がネットワ−クＬＡＮに接続される場合であっても、複数のプログラムを用意する必要がない。
【００６４】複写機からコンピュ−タＰＣにブザ−音形式のパケットがレスポンスとして送信された時には、コンピュ−タＰＣはブザ−７１を付勢してそれをオペレ−タに報知する。
【００６５】このようにして、複写機側のタッチスイッチ入力に対して遠隔制御ユニットであるコンピュ−タ側ではマウス入力という若干の違いはあるものの、複写機側と遠隔制御ユニット側とのユ−ザインタ−フェ−スは同等の操作環境になる。つまり、複写機のコンソ−ル７００における表示画面の変化は直ちにコンピュ−タＰＣ側の表示画面にも反映されるし、コンピュ−タＰＣ側におけるマウス入力は複写機のコンソ−ルからのボタン入力と同様に解釈されて直ちに実行されるので、コンピュ−タＰＣを利用することにより、ネットワ−クＬＡＮに接続された多数の複写機の中から空いている複写機を捜したり、原稿読取コマンドやプリントアウトコマンドをコンピュ−タＰＣから複写機に送ったり、それらの作業の進行具合いを監視するのに極めて都合が良い。
【００６６】リモ−ド原画読取りを行なう時のコンピュ−タＰＣのウィンドゥＷ３における表示内容の例を図１１に示す。このモ−ドでは、複写機においてＡＤＦ，スキャナ１００及びイメ−ジプロセサ３００が動作し、プラテン上の原画を読取り、必要に応じて画像処理を施し、読取った画像情報を要求のあった装置、つまりコンピュ−タＰＣに送る。当然のことながらプリンタ２００やソ−タは停止したままである。このモ−ドは一般に、遠隔制御ユニットにコンピュ−タを用い、ＤＴＰ（電子出版）でのイメ−ジ取り込みや光ファイル装置を監視装置としたイメ−ジファイリングシステムの原画走査によく利用される。
【００６７】このモ−ドに移行するには、複写機の表示器７５１の画面（図５参照）で、プログラム呼出ボタン７５１ｈを１回タッチするか、或いは遠隔制御ユニットの画面（図１１参照）の対応するボタン７５１ｈｈをマウスで指示して１回クリックすればよい。プログラム呼出しボタンはこのように通常の複写モ−ド以外の特殊なモ−ドを呼び出すのに用い、タッチ回数又はクリック回数に応じたプログラム番号のモ−ドが呼び出される。この画面は、図７に示す一般複写モ−ドの画面と若干の差がある。つまり、図１１では複写モ−ドにはないリモ−ド読み取りモ−ド表示「ＰＲＯＧ１：ＳＣＡＮ」が加わり、カウント表示が「コピ−」から「ＳＣＡＮ」に変わっている。変倍ボタンとこれに関連する表示が図７と図１１で異なるのは、たまたま変倍ボタンをクリックしたためであり、変倍に関するモ−ド設定は複写モ−ドと原画読取りモ−ドとで共通である。
【００６８】変倍モ−ド設定画面は２階層に構成されている。上の層において、変倍モ−ドは定型変倍，ズ−ム，用紙指定変倍，寸法変倍，及び独立変倍の５つに分類されている。図１１は定型変倍を選択した状態を示している。選択はマウスによるクリックで行なう。選択されたアイコンは反転表示される。またリモ−ト画像読取りモ−ドは他に種々の読み取りオプション仕様を付加でき、種々の画像処理仕様やＡＤＦの動作を指定することができる。
【００６９】エリアボタン７５１ｎｎをマウスでクリックしエリア指定に関する設定画面をオ−プンすると、図１２に示す画面が表示される。エリア指定は、特定部分を区切って区切られた領域毎にディザパタ−ンを選択したり、トリミング（空白化）したりするために利用される。なおこの画面においてはテンキ−の一部が欠落しているが、これは複写機の表示器７５１の画面がマルチウィンドゥ風になっているためである。エリア処理仕様の設定を終了したら、エリアボタン７５１ｎｎを再びクリックすれば元の画面に戻る。またこれらの重なりがあっても、ボタンの一部分でも表示されていれば、そこをクリックすることでその位置の座標信号がコンピュ−タから複写機に送信され、複写機のコンソ−ルは該ボタンが押下されたものとみなす。
【００７０】このようにしてリモ−ト原画読取り仕様を設定し、例えば読み取り枚数に５４枚を設定した後でスタ−トボタン７５１ａａをクリックすれば、その入力情報が複写機に送信され、複写機のシステムコントロ−ラがその入力に応答してＡＤＦ，イメ−ジスキャナ１００及びイメ−ジプロセサ３００を制御して原画５４枚分の読取り画像情報をコンピュ−タＰＣに順次に送信する。コンピュ−タＰＣでは、送られた画像情報を一枚ハ−ドディスク６８に記憶し、例えば別のウィンドゥＷ２で起動されたワ−プロプログラムで読込んで利用することができる。
【００７１】上記動作を図１６を参照しながら説明する。まずコンピュ−タＰＣにおいてマウスで表示画面のスタ−トボタン７５１ａａをクリックすると、マウスドライバがマウスで指示された表示画面上の座標ｘ，ｙを検出し、検出した座標ｘ，ｙの情報を通信プログラムを介してコマンドＣ１２として複写機に送信する。
【００７２】複写機のシステムコントロ−ラは、通信プログラムを介してコマンドＣ１２を受信すると、それに応じた内部コマンドＣ２２をコンソ−ルに出力しキ−入力の判定を指示する。
【００７３】コンソ−ルの入力判定プログラムは、内部コマンドＣ２２が入力されると、その情報に含まれるｘ，ｙ座標の値から、スタ−トボタン７５１ａａが押下されたものと判定し、その判定結果を入力キ−情報としてシステムコントロ−ラに出力する。
【００７４】システムコントロ−ラは、コンソ−ルが出力する判定結果、つまり入力キ−情報が「スタ−トボタンの押下」を示すコ−ドであると、ユニット起動プログラムを起動して画像の読み取りを開始する。
【００７５】また、コンソ−ルのＣＰＵ７５４は、「スタ−トボタンの押下」の検出に応答して、表示制御プログラムを起動し、表示画面の二次元画像情報を保持するＲＡＭ７５９の情報のうち、スタ−トボタンの表示イメ−ジの０／１を反転するように情報を書き替える。変更後のＲＡＭ７５９の情報は、ビデオＲＡＭ７５８に送られて表示器７５１に表示されるので、コンソ−ル上の表示画面において、スタ−トボタン７５１ａの表示が白黒反転される。ＲＡＭ７５９上の情報の変化があると、表示制御プログラムがシステムコントロ−ラにレスポンスＲ２３、つまり変更後の表示画面の情報を返す。このレスポンスＲ２３に応答して、システムコントロ−ラはレスポンスＲ１３をコンピュ−タＰＣに送信する。
【００７６】コンピュ−タＰＣは、レスポンスＲ１３を受信すると、その情報をＲＡＭ５３に書込んだ後、表示プログラムを起動する。表示プログラムは、ＲＡＭ５３に書込まれたレスポンスＲ１３に従って、ウインドゥＷ３中に表示される複写機の表示画面の中のスタ−トボタン７５１ａａの表示を書き換え、その表示の白黒を反転する。
【００７７】図１３はリモ−トプリントアウトを行なう時のコンピュ−タＰＣにおけるウインドゥＷ３の表示画面を示している。リモ−トプリントアウトの動作モ−ドでは、主に複写機のイメ−ジプロセサ３００，プリンタ２００及びソ−タが動作する。コンピュ−タＰＣからのプリント情報を受信すると、その情報、一般にはＥＳＣシ−ケンスに基づくコ−ドデ−タ列やＰＤＬ（ペ−ジ記述言語）によるテキスト列をレ−ザプリンタの記録形式である画素単位毎のビットマップイメ−ジデ−タに展開し、必要に応じて画像処理を施し、このイメ−ジ画像デ−タをプリンタ２００に送信する。プリンタ２００は送られた情報に対応する画像を、ハ−ドコピ−として転写紙上に形成し出力する。当然のことながらＡＤＦやイメ−ジスキャナ１００は停止したままである。一般にこの動作モ−ドは、遠隔制御ユニットとしてコンピュ−タを用いる場合に、プログラムのダンプ出力やワ−プロの出力として利用される。」（第１０ページ第１７欄第５行目〜第１２ページ第２１欄第３０行目）
　
Ｈ．「【００９３】なお上記実施例では複写機を監視及び制御する例を示したが、同様な構成要素を有する事務機器であれば、他の装置例えばファクシミリであっても本発明を実施しうる。」（第１４ページ第２５欄第８行目〜同欄第１１行目）
　
Ｉ．「【００９６】第４番の発明によれば、前記第１番の発明と同様にして、事務機器上の表示と同一の情報を遠隔制御ユニット上に表示することができる。しかも、事務機器は遠隔制御ユニットから出力される遠隔制御コマンドに応答して動作モ−ドを変更するので、遠隔制御ユニットを操作する人は、事務機器から離れた位置で、事務機器上の操作部と同一の表示を見ながら離れた位置の事務機器を遠隔操作することができる。」（第１４ページ第２６欄第２８行目〜同欄第３５行目）
　
　以上の記載によれば，引用例には，次の発明（以下「引用発明」という。）が記載されている。
　
「コンピュ−タＰＣと複写機は，ＬＡＮにより互いに接続され，
　複写機は，コンピュ−タＰＣからのプリント情報を受信すると，送られた情報に対応する画像をハ−ドコピ−として転写紙上に形成し出力し，
　複写機のコンソール７００の画面には，スタ−トボタン７５１ａなどの複数のボタンが表示され，
　複写機のコンソール７００と同一の画面をコンピュータＰＣ上に表示し，
　コンピュ−タＰＣにおいて，マウスで表示画面のスタ−トボタン７５１ａａをクリックすると，検出した座標ｘ，ｙの情報をコマンドＣ１２として複写機に送信し，
　複写機のシステムコントロ−ラは，コマンドＣ１２を受信すると，それに応じた内部コマンドＣ２２をコンソール７００に出力し，
　コンソール７００の入力判定プログラムは，内部コマンドＣ２２が入力されると，その情報に含まれるｘ，ｙ座標の値から，スタ−トボタンが押下されたものと判定し，その判定結果を入力キ−情報としてシステムコントロ−ラに出力し，
　システムコントロ−ラは，入力キ−情報が「スタ−トボタンの押下」を示すコ−ドであると，ユニット起動プログラムを起動して画像の読み取りを開始し，
　コンソール７００のＣＰＵ７５４は，「スタ−トボタンの押下」の検出に応答して，コンソール７００上の表示画面において，スタ−トボタン７５１ａの表示が白黒反転され，ＲＡＭ７５９上の情報の変化があると，表示制御プログラムがシステムコントロ−ラにレスポンスＲ２３，つまり変更後の表示画面の情報を返し，このレスポンスＲ２３に応答して，システムコントロ−ラはレスポンスＲ１３をコンピュ−タＰＣに送信し，
　コンピュ−タＰＣは，レスポンスＲ１３を受信すると，レスポンスＲ１３に従って，表示画面の中のスタ−トボタン７５１ａａの表示の白黒を反転し，
　コンピュ−タＰＣに，複写機のコンソール７００と同等のユ−ザインタ−フェ−スを提供する，
　遠隔制御装置。」
　
（３）対比
　本願補正発明と引用発明を対比する。
　引用発明の「コンピュ−タＰＣ」は，本願補正発明の「ホストシステム」に相当する。また，引用発明の複写機は，コンピュータＰＣからのプリント情報を受信して，ハードコピーとして転写紙に出力しており，本願補正発明のビデオディスプレイ機器とは画像の出力形式の点で異なるものの，引用発明の「複写機」と本願補正発明の「ビデオディスプレイ機器」は，「事務機器」である点で一致する。さらに，引用発明において，コンピュ−タＰＣと複写機は接続している。そして，引用発明において，コンピュ−タＰＣに複写機のコンソール７００と同等のユ−ザインタ−フェ−スを提供することをかんがみると，引用発明と本願補正発明は，「ホストシステムに接続された事務機器のためのユーザインターフェイス方法」である点で一致する。
　引用発明の「コンソール７００」と本願補正発明の「リモートコントローラ」は，「操作部」である点で一致する。
　引用発明において，コンソール７００の画面には，スタ−トボタン７５１ａなどの複数のボタンが表示され，スタ−トボタン７５１ａａなどの複数のボタンを含むコンソール７００と同一の画面をコンピュータＰＣ上に表示していることから，コンピュータＰＣは，コンソール７００のボタン構造に対応するボタン構造を表示していることは明らかである。よって，引用発明と本願補正発明は，「前記ホストシステムが前記事務機器に備えられた操作部のボタン構造に対応するボタン構造を有する仮想操作部を表示するステップ」を有する点で一致する。
　引用発明の「マウスで表示画面のスタ−トボタン７５１ａａをクリックする」構成は，本願補正発明の「ボタンが入力される」構成に相当する。また，引用発明において，コマンドＣ１２は，クリックしたスタ−トボタン７５１ａａに対応した座標ｘ，ｙの情報であるから，引用発明の「コマンドＣ１２」は，本願補正発明の「その入力されたボタンに対応する制御命令」と，「その入力されたボタンに対応する情報」である点で一致する。さらに，引用発明の「複写機に送信し」の「送信」は，本願補正発明の「ビデオディスプレイ機器に出力する」の「出力」に相当する。そうすると，引用発明と本願補正発明は，「前記表示された仮想操作部のボタンが入力されると，その入力されたボタンに対応する情報を前記事務機器に出力するステップ」を有する点で一致する。
　引用発明において，「スタ−トボタンの押下」を示すコ−ドである入力キー情報は，複写機内部用の情報であることは明らかであり，また，入力キ−情報が「スタ−トボタンの押下」を示すコ−ドであると，ユニット起動プログラムを起動して画像の読み取りを開始し，かつ「スタ−トボタンの押下」の検出に応答して，コンソール７００上の表示画面において，スタ−トボタン７５１ａの表示が白黒反転されることから，「スタ−トボタンの押下」を示すコ−ドである入力キー情報は，画像の読み取り処理及びスタ−トボタン７５１ａの表示を白黒反転させる処理の実行を指示する命令に該当するといえる。したがって，引用発明の「入力キー情報」は，本願補正発明の「内部命令」に相当する。また，引用発明において，複写機のシステムコントロ−ラは，コマンドＣ１２を受信すると，それに応じた内部コマンドＣ２２をコンソール７００に出力し，コンソール７００の入力判定プログラムは，内部コマンドＣ２２が入力されると，その情報に含まれるｘ，ｙ座標の値から，スタ−トボタンが押下されたものと判定し，その判定結果を入力キ−情報としてシステムコントロ−ラに出力することから，複写機がコマンドＣ１２を受け，入力キー情報を検出することは明らかである。さらに，引用発明において，入力キー情報は，クリックしたスタ−トボタン７５１ａａに応じた処理である画像の読み取り処理及びコンソール７００上の表示画面のスタ−トボタン７５１ａの表示を白黒反転させる処理を実行させることから，クリックされたスタ−トボタン７５１ａａに応じるものであるといえる。そうすると，引用発明と本願補正発明は，「前記事務機器が前記情報を受け，前記入力されたボタンに応じる内部命令を検出し実行するステップ」を有する点で一致する。
　引用発明において，変更後の表示画面は，スタ−トボタン７５１ａの表示を白黒反転させる処理の実行を指示する入力キー情報の実行結果であることは明らかである。また，コンピュータＰＣからのコマンドＣ１２によって変更された変更後の表示画面の情報をコンピュータＰＣに送信することは，結果をフィードバックするものといえる。そうすると，引用発明の「コンソール７００のＣＰＵ７５４は，「スタ−トボタンの押下」の検出に応答して，コンソール７００上の表示画面において，スタ−トボタン７５１ａの表示が白黒反転され，ＲＡＭ７５９上の情報の変化があると，表示制御プログラムがシステムコントロ−ラにレスポンスＲ２３，つまり変更後の表示画面の情報を返し，このレスポンスＲ２３に応答して，システムコントロ−ラはレスポンスＲ１３をコンピュ−タＰＣに送信」する構成は，本願補正発明と「前記内部命令の実行が完了すると，前記事務機器が前記内部命令の実行結果を前記ホストシステムにフィードバックする」構成である点で一致する。
　引用発明において，コンピュ−タＰＣが，受信した変更後の表示画面の情報により，表示画面の中のスタ−トボタン７５１ａａの表示の白黒を反転することは，変更後の表示画面を表示するものといえる。したがって，引用発明は，本願補正発明の「前記ホストシステムが前記フィードバックされた内部命令の実行結果を表示するステップ」に相当する構成を有している。
　
　すると，本願補正発明と引用発明とは，次の点で一致する。
＜一致点＞
「ホストシステムに接続された事務機器のためのユーザインターフェイス方法において，
　前記ホストシステムが前記事務機器に備えられた操作部のボタン構造に対応するボタン構造を有する仮想操作部を表示するステップと，
　前記表示された仮想操作部のボタンが入力されると，その入力されたボタンに対応する情報を前記事務機器に出力するステップ，及び　前記事務機器が前記情報を受け，前記入力されたボタンに応じる内部命令を検出し実行するステップと，
　前記内部命令の実行が完了すると，前記事務機器が前記内部命令の実行結果を前記ホストシステムにフィードバックするステップと，
　前記ホストシステムが前記フィードバックされた内部命令の実行結果を表示するステップと，
　を備えることを特徴とするホストシステムに接続された機器のためのユーザインターフェイス方法。」
　
　一方，両者は次の点で相違する。
＜相違点１＞
　本願補正発明では，ホストシステムに接続された事務機器がビデオディスプレイ機器であり，事務機器に備えられた操作部がリモートコントローラであり，仮想操作部がリモートコントローラのボタン構造に対応するボタン構造を有する仮想リモートコントローラであり，表示された仮想操作部のボタンが仮想リモートコントローラのボタンであるのに対し，引用発明では，コンピュータＰＣに接続された事務機器が複写機であり，事務機器に備えられた操作部がコンソール７００であり，仮想操作部がコンソール７００と同一の画面を表示するコンピュータＰＣの表示画面であり，表示された仮想操作部のボタンがコンソール７００と同一の画面を表示するコンピュータＰＣの表示画面のボタンである点。
＜相違点２＞
　本願補正発明では，その入力されたボタンに対応する情報が制御命令であり，また，制御命令を受ける構成であるのに対し，引用発明では，その入力されたボタンに対応する情報が座標ｘ，ｙの情報であるコマンドＣ１２であり，また，座標ｘ，ｙの情報であるコマンドＣ１２を受ける構成である点。
　
（４）当審の判断
　上記相違点について検討する。
＜相違点１についての検討＞
　前記引用例の摘記（２）Ｈ．には，「なお上記実施例では複写機を監視及び制御する例を示したが、同様な構成要素を有する事務機器であれば、他の装置例えばファクシミリであっても本発明を実施しうる。」と記載されており，引用例には，引用発明が他の事務機器へも適用可能との示唆があるといえる。
　また，ホストシステムに接続されたビデオディスプレイ機器において，ボタン構造を有するリモートコントローラを備えるビデオディスプレイ機器は，特開２００１−１６６７５８号公報（特に，第３ページ【００１９】及び図１参照。）及び特開平１１−２９５８１１号公報（特に，第３ページ【０００３】，第７ページ【００５２】及び図９参照。）に記載されているように，本願優先日前周知である。
　したがって，引用発明において，上記周知技術を適用し，コンピュータＰＣに接続された事務機器を，ホストシステムに接続されたビデオディスプレイ機器とし，事務機器に備えられたコンソール７００を，ビデオディスプレイ機器に備えられたリモートコントローラとし，コンソール７００と同一の画面を表示するコンピュータＰＣの表示画面を，リモートコントローラのボタン構造に対応するボタン構造を有する仮想リモートコントローラとし，表示されたコンソール７００と同一の画面を表示するコンピュータＰＣの表示画面のボタンを，表示された仮想リモートコントローラのボタンとすることは，当業者が容易に想到し得ることである。
　
＜相違点２についての検討＞
　前記引用例の摘記（２）Ｇ．の【００６２】には，「この方式では、従来より良く利用される方式、例えばコマンドの内容に応じてコ−ドを割り付けてそれを送る方式や、クリアテキストで送る方式に比べ、処理を圧倒的に単純化できる利点がある。つまり一般の方式では、コンピュ−タＰＣ側にどのボタンが押されたのかを判定するプログラムやボタンの種類に対応するコ−ドを生成するコ−ド変換プログラムが必要であり、複写機においては受信したコ−ドを入力ボタンの各々に対応付ける識別プログラムが必要になる。」との記載があり，座標ｘ，ｙの情報を送る方式のほかに，ボタンの種類に対応するコ−ド（本願補正発明の「制御命令」に相当。）を送る方式の技術が示唆されている。
　したがって，引用発明において，上記示唆された技術を適用し，その入力されたボタンに対応する座標ｘ，ｙの情報であるコマンドＣ１２に代えて，その入力されたボタンに対応する制御命令とすること，及び座標ｘ，ｙの情報であるコマンドＣ１２を受ける構成に代えて，制御命令を受ける構成とすることは，当業者が適宜なし得ることである。
　
　また，本願補正発明の構成によって生じる効果も，当業者が予測できるものである。
　
　したがって，本願補正発明は，引用発明，周知技術及び引用例において示唆された技術に基づいて，当業者が容易に発明をすることができたものであるから，特許法第２９条第２項の規定により特許出願の際独立して特許を受けることができないものである。
　
（５）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
３．本願発明について
　平成１９年８月１６日付けの手続補正は上記のとおり却下されたので，本願の請求項１に係る発明（以下「本願発明」という。）は，補正前の請求項１に記載された事項により特定される，前記２．（１）に記載したとおりのものである。
　
（１）引用例
　原査定の拒絶の理由に引用された引用例及びその記載事項は，前記２．（２）に記載したとおりである。
　
（２）当審の判断
　本願発明は，前記２．で検討した本願補正発明から，「前記内部命令の実行が完了すると、前記ビデオディスプレイ機器が前記内部命令の実行結果を前記ホストシステムにフィードバックするステップ」及び「前記ホストシステムが前記フィードバックされた内部命令の実行結果を表示するステップ」との構成を省いたものである。
　そうすると，本願発明の構成要件をすべて含み，さらに他の構成要件を付加したものに相当する本願補正発明が，前記２．（４）に記載したとおり，引用発明，周知技術及び引用例において示唆された技術に基づいて，当業者が容易に発明をすることができたものであるから，本願発明も同様の理由により，引用発明，周知技術及び引用例において示唆された技術に基づいて，当業者が容易に発明をすることができたものである。
　
（３）むすび
　以上のとおり，本願発明は，引用発明，周知技術及び引用例において示唆された技術に基づいて，当業者が容易に発明をすることができたものであるから，他の請求項について検討するまでもなく，本願は，特許法第２９条第２項の規定により特許を受けることができない。
　よって，結論のとおり審決する。